(57)【特許請求の範囲】
【請求項１】
ワイヤレス固有のディジタルフレームを無線ネットワークにおける第１の無線通信装置からデータ指向ネットワークにルーティングし、第２の通信装置に情報配信を行う遠隔通信システムにおいて、多数参加者会議開催を実施する方法であって、
前記データ指向ネットワークを介して通信するために、前記第１の無線通信装置と前記第２の通信装置の間にワイヤレス固有のディジタルフレーム通信モードを利用して第１の呼を確立するステップと、
前記データ指向ネットワークを介して通信するために、前記第１の無線通信装置と第３の通信装置の間にＰＣＭフレーム通信モードを利用して第２の呼を確立するステップと、
会議回路を通して前記第１および第２の呼をルーティングするステップと、
前記会議回路を通して通信を行うように、前記第１の呼を前記ワイヤレス固有のフレーム通信モードから前記ＰＣＭフレーム通信モードに変換するステップと、
会議開催を実行する目的で、前記会議回路において前記第１の呼と前記第２の呼を組み合わせるステップと、
を含む方法。
【請求項２】
前記組み合わせるステップは、前記会議回路およびＧ．７１１規格を用いて、前記第１、第２および第３の通信装置をブリッジするステップを含む、請求項１記載の方法。
【請求項３】
ワイヤレス固有のディジタルフレームを無線ネットワークにおける第１の無線通信装置からデータ指向ネットワークにルーティングし、第２の通信装置に情報配信を行うことにより、多数参加者会議開催を実施するシステムであって、
前記データ指向ネットワークを介して通信するために、前記第１の無線通信装置と前記第２の通信装置の間にワイヤレス固有のディジタルフレーム通信モードを利用して第１の呼を確立する手段と、
前記データ指向ネットワークを介して通信するために、前記第１の無線通信装置と第３の通信装置の間にＰＣＭフレーム通信モードを利用して第２の呼を確立する手段と、
会議回路と、
会議回路を通して前記第１および第２の呼をルーティングする手段と、
前記会議回路を通して通信を行うように、前記第１の呼を前記ワイヤレス固有のフレーム通信モードから前記ＰＣＭフレーム通信モードに変換する手段と、
会議開催を実行する目的で、前記会議回路において前記第１の呼と前記第２の呼を組み合わせる手段と、
を備えるシステム。
【請求項４】
ワイヤレス固有のディジタルフレームを無線ネットワークにおける第１の無線通信装置からデータ指向ネットワークにルーティングし、第２の通信装置に情報配信を行う遠隔通信システムにおいて、前記第１の無線通信装置に代わってトーン生成機能性を実施する方法であって、
前記第１の無線通信装置においてトーン生成入力を検出するステップと、
前記トーン生成イベントに応じてトーン生成信号を生成するステップと、
前記第２の通信装置に配信するために、前記データ指向ネットワークを介して前記トーン生成信号を送るステップと、
前記送るステップの後に、前記トーン生成信号に応答して、前記トーン生成イベントに対応するトーンを生成するステップと、
前記生成されたトーンを前記第２の通信装置に提供するステップと、
を含む方法。
【請求項５】
前記トーン生成ステップは、前記ワイヤレス固有のディジタルフレームを前記データ指向ネットワークから受信し、前記フレームをＰＣＭ音声フレームに変換し、前記変換されたフレームを前記第２の通信装置に送信する着側ゲートウェイコンポーネントにおいてトーンを生成するステップを含む、請求項４記載の方法。
【請求項６】
ワイヤレス固有のディジタルフレームを無線ネットワークにおける第１の無線通信装置からデータ指向ネットワークにルーティングし、第２の通信装置に情報配信を行い、前記第１の無線通信装置に代わってトーン生成機能性を実施するシステムであって、
前記第１の無線通信装置においてトーン生成入力を検出する手段と、
前記トーン生成イベントに応じてトーン生成信号を生成する手段と、
前記第２の通信装置に配信するために、前記データ指向ネットワークを介して前記トーン生成信号を送る手段と、
前記送る手段により前記トーン生成信号を送った後に、前記トーン生成信号に応答して、前記トーン生成イベントに対応するトーンを生成する手段と、
前記生成されたトーンを前記第２の通信装置に提供する手段と、
を備えるシステム。
【請求項７】
ワイヤレス固有のディジタルフレームを無線ネットワークにおける第１の無線通信装置からデータ指向ネットワークにルーティングし、第２の通信装置に情報配信を行う遠隔通信システムにおいて、トーンおよび通知を前記第１の無線通信装置に提供する方法であって、
前記第１の無線通信装置に送信されるトーンまたは通知を要求する信号を受信するステップと、
前記信号に応答してワイヤレス固有のトーンまたは通知フレームを生成するステップと、
前記ワイヤレス固有のトーンまたは通知フレームを前記第１の無線通信装置に送るステップと、
前記トーンまたは通知フレームに応答して、前記第１の無線通信装置においてトーンまたは通知を作成するステップと、
を含む方法。
【請求項８】
ワイヤレス固有のトーンまたは通知フレームを生成する前記ステップは、ローカルパケットベースのリソースサーバにおけるデータベースから前記トーンまたは通知のワイヤレス符号化されたものを検索するステップを含む、請求項７記載の方法。
【請求項９】
ワイヤレス固有のディジタルフレームを無線ネットワークにおける第１の無線通信装置からデータ指向ネットワークにルーティングし、第２の通信装置に情報配信を行い、トーンおよび通知を前記第１の無線通信装置に提供するシステムであって、
前記第１の無線通信装置に送信されるトーンまたは通知を要求する信号を受信する手段と、
前記信号に応答してワイヤレス固有のトーンまたは通知フレームを生成する手段と、
前記ワイヤレス固有のトーンまたは通知フレームを前記第１の無線通信装置に送る手段と、
前記トーンまたは通知フレームに応答して、前記第１の無線通信装置においてトーンまたは通知を作成する手段と、
を備えるシステム。
【請求項１０】
ワイヤレスの固有のトーンまたは通知フレームを生成する前記手段は、ローカルパケットベースのリソースサーバにおけるデータベースから前記トーンまたは通知のワイヤレス符号化されたものを検索する手段を含む、請求項９記載のシステム。
【発明の詳細な説明】
【０００１】
【発明の属する技術分野】
本発明は、音声指向の無線通信ネットワーク（たとえば、携帯電話システム）とデータ指向ネットワーク（たとえば、インターネットプロトコル（ＩＰ）および非転送モード（ＡＴＭ）ネットワーク）の統合に関する。より詳細には、本発明は、ワイヤレス固有の通信領域の文脈において、第１の無線通信装置からリアルタイム通信を送り、第２の通信装置に情報配信を行うためのデータ指向ネットワークの用途において、この第１の無線通信装置から情報配信を行うデータ指向ネットワークに、そしてこれを介して第２の通信装置にワイヤレス固有のディジタルフレームを送ってボコード関連のトラフィック遅延を最小限に抑えることに関する。また、本発明は、ワイヤレス固有の通信領域において通常に動作しながら多数参加者会議開催およびトーン／通知を作成する機能性を提供するシステムおよび方法に関する。
【０００２】
【従来の技術】
（関連出願の相互参照）
本願は、１９９９年８月１０日付けで出願された、「複数の相互接続ネットワークを介してルーティングされた移動無線通信を最適化する方法（ＭＥＴＨＯＤ  ＦＯＲ  ＯＰＴＩＭＩＺＩＮＧ  ＭＯＢＩＬＥ  ＷＩＲＥＬＥＳＳ  ＣＯＭＭＵＮＩＣＡＴＩＯＮＳ  ＲＯＵＴＥＤ  ＡＣＲＯＳＳ  ＰＬＵＲＡＬ  ＩＮＴＥＲＣＯＮＮＥＣＴＥＤ  ＮＥＴＷＯＲＫＳ（以下、‘３８５出願）」と題する本願の先願である出願番号第０９／３７１，３８５号に関連し、その内容をすべてこの言及をもって本明細書に組み込む。
（米国連邦協賛の研究または開発に関する記載）
該当なし
【０００３】
上述の‘３８５出願において、第１の無線通信装置（たとえば、携帯電話）と第２の通信装置（たとえば、携帯または有線電話）の間で、ＩＰまたはＡＴＭネットワーク等のデータ指向ネットワークを介して通信トラフィックをルーティングするシステムおよび方法を開示している。第１の無線通信装置は、発側ゲートウェイを介してデータ指向ネットワークに接続される無線ネットワークにおいて動作する。着側ゲートウェイでは、第２の通信装置に代わってデータ指向ネットワークにアクセスする。開示のシステムおよび方法において、通常無線ネットワークの基地局（ＢＳ）／移動切換局（ＭＳＣ）および発側ゲートウェイにおいて実行されるボコード工程は、呼スループット効率を高め、送信遅延を最小にするために省略される。第１の無線通信装置におけるボコード回路により生成されるワイヤレス固有のディジタルフレームは、それ自体ＢＳ／ＭＳＣを通り、発側ゲートウェイを通り、データ指向ネットワークを介して着側ゲートウェイに、変換することなく送られる。このように、第１の無線通信装置において発信する通信トラフィックは、少なくとも着側ゲートウェイを通りワイヤレス固有の通信領域に残る。
【０００４】
ワイヤレス固有の通信領域において動作する場合に生じる‘３８５出願において開示されていない配慮が２つある。第１は、多数参加者の会議開催をどのように提供するかの問題に関し、第２は、第１の無線通信装置に代わって（すなわち、第１の無線通信装置により受け送りされる）トーンおよび通知作成機能性をどのように提供するかの課題に関する。ディジタルパルス符号変調（ＰＣＭ）トラフィックを搬送する従来の電話システムにおいてこれらの機能を実施することは、ＰＣＭフレームを組み合わせることによってなされ、会議開催を提供するとともに、音声チャネルを通ってトーンおよび通知を作成および送出する。この技術は、トラフィックがワイヤレス固有のディジタルフレームとして搬送される場合に使用できない。会議開催において、ＰＣＭトラフィックフレームを組み合わせるために使用されるのと同じようにワイヤレス固有のディジタルフレームを組み合わせることはできない。第１の無線通信装置により受け送りされるトーンおよび通知作成および送出についても同様の問題が生じる。デュアルトーンマルチフリーケンシ（ＤＴＭＦ）パターン等、第１の無線通信装置により生成されるトーンについて、これらのトーンは、ワイヤレスボコーダを用いて符号化され、低ビットレートの音声形式で着側ゲートウェイのボコーダに送信される。このように低ビットレート形式で送信されるトーンはＰＣＭトラフィックとして送信されるものほど的確にレンダリングされないため、その対象とされる受信機（すなわち、ボイスメールシステム、自動メニュー等）は、これらを確実に認識しないことがある。呼待機、ボイスメール通知、サービス領域の制限等の特徴を実施するために第１の無線通信装置に再生されるトーンおよび通知について、かかる音声情報の唯一使用可能な発信源は、ＰＣＭ符号化されたフレームのデータベースである。これらのＰＣＭフレームは、第１の無線通信装置に対する再生が必要とされる場合ワイヤレス固有のディジタルフレーム列に挿入されることがない。
【０００５】
【発明が解決しようとする課題】
したがって、無線ネットワークとデータ指向ネットワークとを含む、ワイヤレス固有の通信領域において動作する通信システムにおいて、会議開催およびトーン／通知作成機能性を実施するシステムおよび方法の必要がある。要求されることは、多数参加者の会議開催を実施し、かつトーンおよび通知を作成してこれらを無線通信装置に対して伝送することを可能としつつ、ワイヤレス固有の領域において通信を十分に実行させることが可能なシステムおよび方法である。
【０００６】
【課題を解決するための手段】
上述の問題および当該技術における進歩は、ワイヤレスネットワークとデータ指向ネットワークとを含む、ワイヤレス固有の通信領域において動作する通信システムにおいて、会議開催およびトーン／通知作成機能性を実施する新規システムおよび方法により解決される。このワイヤレス固有の通信領域において、ワイヤレス固有のディジタルフレームは、無線ネットワークにおいて動作する第１の無線通信装置により生成され、ボコードされずにデータ指向ネットワークを介して搬送され、第２の通信装置に情報配信される。
【０００７】
本発明のシステムおよび方法のトーン生成および通知機能は、無線ネットワークおよびデータ指向ネットワークを介して搬送されるトラフィックについてワイヤレス固有のディジタルフレーム形式を保持した状態で提供される。トーンまたは通知は、第１の無線通信装置により生成されるトーンと、第１の無線通信装置に配信されるトーンおよび通知とを含む。第１の無線通信装置により生成されるトーンの場合、信号方式メッセージは着側ゲートウェイボコーダに直接送信され、着側ネットワークにおいてフルレートのＤＴＭＦトーンが生成される。第１の無線通信装置に送信されるトーンおよび通知の場合、各トーンおよび通知のワイヤレス符号化したものがフィーチャサーバと協働するリソースサーバにより生成され、これらはともに無線ネットワークにとってローカルである。トーンおよび通知のワイヤレス符号化したものは第１の無線通信装置に送信され、そこで対応する可聴トーンまたは通知が作成される。
【０００８】
本発明のシステムおよび方法の会議開催機能によれば、会議開催を行う複合トラフィック列が実施可能となる前に、ワイヤレス固有のディジタルフレームトラフィックを使用する呼が無線ネットワークにおける第１の無線通信装置と、着側ゲートウェイを介してデータ指向ネットワークに接続される第１の着側ネットワークに配置されるとした第２の通信装置との間に確立される。第１の無線通信装置から、第２の着側ネットワークにおける（同様にデータ指向ネットワークに接続される）第３の通信装置に対する第２の呼は、ディジタル有線（たとえば、ＰＣＭ）トラフィックにより確立される。第２および第３の通信装置は、同一または異なる着側ネットワークにより供給されるようにしてもよい（すなわち、第１および第２の着側ネットワークは同一であっても異なっていてもよい）。第１の呼についてボコード処理が行われ、該トラフィックが第２の呼により使用される同一のディジタル有線形式（たとえば、ＰＣＭ）に変換される。そして会議呼は、第１の無線通信装置を供給する無線ネットワークにおいて配置される会議回路において２つの呼を組み合わせることによって実施され、複合ディジタル有線トラフィック列を形成する。
【０００９】
本発明の好ましい実施形態において、無線ネットワークは、第１の無線通信装置を供給するＭＳＣまたはＭＳＣ／ＢＳ結合（ボコードがＢＳにおいて実施される場合）を含む。無線ネットワークは、発側ゲートウェイと呼ばれるゲートウェイを通してデータ指向ネットワークに接続するが、該ゲートウェイが発側ゲートウェイと呼ばれることは、第１の無線通信装置が本明細書に記載する発呼状況において発呼者であるとされていることによる。データ指向ネットワークは、ＩＰ等のネットワークレイヤデータグラムプロトコル、ＡＴＭ等の低レベルプロトコルまたは両方を使用して情報をルーティングするコンピュータデータネットワークである。有線通信装置を供給する場合、着側ネットワークは着側の端局（ＥＯ）を含むことが可能であり、無線通信装置を供給する場合、着側ネットワークはセルラネットワークＭＳＣまたはＭＳＣ／ＢＳ結合を含むことが可能である。第１の無線通信装置の代わりのトーン／通知作成は、１）ＭＳＣ内のワイヤレスフィーチャサーバおよびパケットリソースサーバ、または２）ＭＳＣ外部（すなわち、発側ゲートウェイ内部）に配置されるローカルデータネットワークフィーチャサーバおよびパケットリソースサーバのいずれかにより対応可能である。第２の通信装置に対するトーン生成は、着側ゲートウェイに対する改良によりさらに提供され、これにより、第１の無線通信装置からのトーン生成信号に応答して第２の通信装置に代わってトーンが局部的に（すなわち、着側ゲートウェイにおいて）生成される。会議開催は、二方向呼のワイヤレス固有の通信が可能であるが三方向呼の通常のＰＣＭボコードを実施するＰＣＭドメイン会議回路およびボコーダ（または、ディジタルワイヤレスフレームを内部変換する会議回路）によって支援される。
【００１０】
フィーチャサーバは、第１の無線通信装置により生成されるトーンを支援するとともに、第１の無線通信装置に送信されるトーンおよび通知を支援する。本発明のフィーチャサーバ機能は、移動性および無線アクセスサーバ機能も実行されるアクセスマネージャ（たとえば、ルーセントテクノロジー社製のＥｘｅｃｕｔｉｖｅ  Ｃｅｌｌｕｌａｒ  Ｐｒｏｃｅｓｓｏｒ（商標）（ＥＣＰ））において、または発側ゲートウェイにおいて配置されるローカルデータネットワーク（たとえば、Ｈ．３２３またはシステム初期化プロトコル（ＳＩＰ））フィーチャサーバとして実施可能である。フィーチャサーバがＥＣＰにある場合、フィーチャサーバは、ＭＳＣ配置のパケットベースのリソースサーバを使用して、（ＰＣＭではなく）ワイヤレス符号化音声形式でトーンおよび通知を作成する。また、ローカルワイヤレス／データ信号方式ゲートウェイ（発側ゲートウェイ内に配置）をさらに使用して、ＥＣＰフィーチャサーバと信号方式メッセージをやり取りする。この信号方式ゲートウェイは、通常ＥＣＰにより送信される特徴コマンドをディジタルセルラスイッチ（ＤＣＳ）にＥＣＰ−ＤＣＳメッセージとして解読し、パケットドメインにおいて切り換え機能を実行するようにローカルＩＰスイッチを制御するように構成される。また、ローカルワイヤレス／データ信号方式ゲートウェイは、ＥＣＰフィーチャサーバにより使用されるワイヤレスルーティングおよび信号プロトコルと、データ指向ネットワークにおいて使用されるデータネットワーク固有の信号方式（たとえば、Ｈ．３２３またはＳＩＰ）の間で相互作用させ、信号方式メッセージがＥＣＰフィーチャサーバとデータ指向ネットワークの信号方式資源との間でやり取りできるようにしている。発側ゲートウェイ内に配置されるローカルデータネットワークフィーチャサーバを含むアーキテクチャにおいて、フィーチャサーバは、ローカルデータネットワークリソースサーバ（同様に発側ゲートウェイ内に配置される）と協働し、トーンおよび通知を第１の無線通信装置に提供する。この構成において、ＥＣＰ／ＭＳＣは、ワイヤレス移動性および無線アクセス機能を管理するが、特徴制御は管理しない。特徴制御は、ローカルデータネットワークフィーチャサーバにより提供される。また、ローカルデータネットワークフィーチャサーバは、データ指向ネットワークにおいて信号方式メッセージを信号方式資源と通信させる。ＥＣＰとローカルＩＰスイッチの間の信号方式は、データと無線ネットワーク信号方式フォーマットの間でワイヤレス／データ信号方式トランスレータにより解釈される。
【００１１】
ＤＴＭＦトーンが、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）通信システムで動作する第１の無線通信装置において生成される場合、第１の無線通信装置は、トーンを認識してトーン生成信号を作成するように構成される。トーンが、非ＧＳＭシステム（たとえば、ＴＤＭＡまたはＣＤＭＡ）で動作する第１の無線通信装置において生成される場合、無線制御により第１の無線通信装置にリンクされる基地局は、トーンを認識してトーン生成信号を作成する。ＧＳＭおよび非ＧＳＭの両システムにおいて、トーン生成信号は、信号方式メッセージとして着側ゲートウェイに送信され、そこでゲートウェイボコーダによりフルレートのＤＴＭＦトーンが着側ネットワークに対して生成される。
【００１２】
第１の無線通信装置に送信されるトーンおよび通知について、対応するトーンおよび通知のワイヤレス固有のフレームのものがローカルリソースサーバにあるデータベースに格納される。ワイヤレス符号化されたトーンまたは通知が第１の無線通信装置に送信される場合、可聴トーンまたは通知が該装置のボコーダにおいて作成される。
【００１３】
会議呼を実施している間、ＰＣＭは、第２の呼を確立する好ましい形式である。変換後の第１の呼の形式もＰＣＭであることが好ましい。第２の呼の確立、第１の呼の変換、そしてこれら３つの装置をブリッジして会議開催を実施することは、Ｈ．３２３およびＧ．７１１  ＩＴＵ規格にしたがって実行されることが好ましい。会議ブリッジが完成した後、第２の通信装置から会議回路への発呼経路におけるワイヤレス−ＰＣＭのボコードは、ＭＳＣ内部のＤＣＳまたは発側ゲートウェイのいずれか一方、あるいはその両方において行われる。
【００１４】
【発明の実施の形態】
本発明の上記およびその他の特徴および利点については、添付図面において説明される以下の発明の好ましい実施形態のさらに詳細な記載から明らかであろう。
【００１５】
次に図を参照するが、いくつかの図面を通して同様の参照符号は同様の要素を表し、図１は、ワイヤレス音声指向ネットワーク６にある第１の無線通信装置４と同一または異なるネットワークにある第２の（無線または有線）通信装置８との間に、ＩＰ等のネットワークレイヤプロトコルまたはＡＴＭ等の低レベルプロトコルまたは両方を実施する中間のデータ指向ネットワーク１０を介してリアルタイム情報（たとえば、音声トラフィック）をルーティングする例示の遠隔通信システム２を示す。
【００１６】
第１の無線通信装置４および第２の通信装置８に代わってＶｏＩＰ（またはＶｏＡＴＭ）に対応するように使用可能なアーキテクチャは多数存在する。図１は、端局（ＥＯ）１４がＴ１またはＥ１トランクグループ２０を介してデータネットワークゲートウェイ２２に接続され、かつ移動切換局（ＭＳＣ）２４がトランク２６を介してデータネットワークゲートウェイ２８に接続されるようなアーキテクチャを示す。ゲートウェイ２２および２８は、ホストとしてデータ指向ネットワーク１０上にある。これらは、第１の無線通信装置４および第２の通信装置８のユーザ、またはデータ指向ネットワーク１０を介して通信する他の有線または無線ユーザ（図示せず）に代わってＶｏＩＰ（またはＶｏＡＴＭ）サービスを提供する。
【００１７】
第１の無線通信装置４と第２の通信装置８の間のＶｏＩＰ（またはＶｏＡＴＭ）通信において、ＥＯ１４から、そしてＭＳＣ２４からそれぞれのゲートウェイ２２および２８にＰＣＭトラフィックがルーティングされ、データ指向ネットワーク１０を介してルーティングする。呼が第１の無線通信装置４および第２の通信装置８により発信されると、通常の公衆電話交換網（ＰＳＴＮ）のインテリジェントネットワークデータベース資源を利用して、それぞれのゲートウェイ２２および２８に対する呼のルーティングを決定し、データ指向ネットワーク１０を介して送ることが可能である。
【００１８】
ルーセントテクノロジー社のＡｓｃｅｎｄ  ＭｕｌｔｉＶｏｉｃｅ（商標）および７Ｒ／Ｅ  Ｔｏｌｌ−Ｔａｎｄｅｍ（商標）ゲートウェイシステムは、ゲートウェイ２２および２８を実施するために使用可能な２つの典型的な製品を表している。Ａｓｃｅｎｄ  ＭｕｌｔｉＶｏｉｃｅ（商標）および７Ｒ／Ｅ  Ｔｏｌｌ−ＴａｎｄｅｍＴＭゲートウェイは、ＬＡＮ／ＷＡＮ、インターネットまたはその他ＩＰ／ＡＴＭ通信に対応しているあらゆるトポロジ等の既存のインフラストラクチャによるリアルタイムマルチメディア通信および会議開催のための推奨国際電気通信連合（ＩＴＵ）プロトコル規格であるＨ．３２３仕様に準拠して構成される。
【００１９】
第１の無線通信装置４は、携帯電話またはパーソナル通信システム（ＰＣＳ）装置とされ、セル基地局３０と通信を行う。さらに、第１の無線通信装置４は、アナログ音声入力をディジタルワイヤレスフレームに変換するワイヤレス固有のボコーダを備えるディジタル装置と仮定される。例として、入力情報は、ＡＣＥＬＰ（Ａｌｇｅｂｒａｉｃ  Ｃｏｄｅ  Ｅｘｃｉｔｅｄ  Ｌｉｎｅａｒ  Ｐｒｅｄｉｃｔｉｖｅ）アルゴリズム等のＴＤＭＡ専用ボコード規格またはＥＶＲＣ（Ｅｎｈａｎｃｅｄ  Ｖａｒｉａｂｌｅ  Ｒａｔｅ  Ｃｏｄｅｃ）アルゴリズム等のＣＤＭＡ専用規格によりディジタルワイヤレスフレームに変換可能である。ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）ボコードアルゴリズムも使用してもよい。
【００２０】
上記のディジタルワイヤレスフレームは、通常、一定の長さの音声サンプル（たとえば、２０ｍｓの音声サンプル）に対応するスピーチコーダビット（ベクトルまたはコードワードとしても知られる）を含む情報フィールドを含むことが一般に知られている。スピーチコーダビットの後に、誤り訂正ビットを含む誤り訂正フィールドを続けることができる。これらのフィールドは、通常、追加の物理フレーミングビットに添付および／または付随（ｐｒｅｐｅｎｄ）されて合成フレームを形成する。当業者であれば、「フレーム」という用語が、それぞれの論理チャネル（またはチャネルペア）が特定の移動機器の上記ビットフィールドを含む、多数の移動機器に割り当てられる論理チャネル（たとえば、タイムスロット）の繰り返しシーケンスをいう際に、いくらか異なる感じで使用されることがあることが理解されよう。不明瞭を避けるために、「ディジタルワイヤレスフレーム」という用語は、スピーチコーダビット（または、マルチメディア等のリアルタイム情報入力の他の形式を符号化するビット）を含む上記の情報フィールドを少なくとも含み、かつ上記の誤り訂正ビットおよび物理フレーミングビット等のオーバヘッドビットをさらに含むことができる情報ユニットを表すことが理解されよう。
【００２１】
第１の無線通信装置４により生成されるディジタルワイヤレスフレームは、基地局３０において受信され、（多数の無線通信装置のディジタルワイヤレスフレームを搬送する）ブロードバンドパイプ３２等の適宜接続を介してＭＳＣ２４にルーティングされる。ＭＳＣ２４（または基地局３０）において第２のワイヤレス固有のボコード動作を実行してディジタルワイヤレスフレームを復号し、ＰＣＭトラフィックとして搬送される音声情報を再生（ｒｅｃｏｖｅｒ）する代わりに、受信された情報は、通常のＰＣＭディジタルワイヤレス形式に変換されずにワイヤレス固有のドメインにおいて第１のゲートウェイ２８に供給される。したがって、‘３８５出願のように、通常ＭＳＣ２４（または基地局３０）においてなされ、第１の無線通信装置４から受信されたディジタルワイヤレスフレームをＰＣＭトラフィックに変換するためのワイヤレス固有のボコードはなくなる。代わりに、ディジタルワイヤレスフレームは、トランク２６に直接配置され（必要に応じて適当なセグメンテーションおよび多重通信を行って多数のユーザに適応する）、ＭＳＣ２４からゲートウェイ２８にルーティングされる。以下、ゲートウェイ２８を発側ゲートウェイと呼ぶ。
【００２２】
発側ゲートウェイ２８において、ディジタルワイヤレスフレームはトランク２６から受信される。しかしながら、ここでも、通常発側ゲートウェイ２８においてなされるボコード圧縮動作はなくなり、ディジタルワイヤレスフレームはネットワークパケット（たとえば、ＩＰおよび／またはＡＴＭプロトコルデータユニット）に収納され（ｅｎｃａｐｕｓｕｌａｔｅ）、データ指向ネットワーク１０を介して送られる。発側ゲートウェイ２８は、データネットワークフィーチャサーバ３４と通信を行って適切なＩＰ／ＡＴＭ宛先を入手することが当分野では知られている。ネットワークパケット収納されたディジタルワイヤレスフレームは、次にデータ指向ネットワーク１０を介して発側ゲートウェイ２８からゲートウェイ２２にルーティングされ、このゲートウェイ２２を着側ゲートウェイと呼ぶ。着側ゲートウェイ２２において、ディジタルワイヤレスフレームは、ネットワークパケットからパケット解除される。そして、（好ましくはゲートウェイ２２により）第２のワイヤレス固有のボコード動作が行われ、ディジタルワイヤレスフレームをＰＣＭトラフィックに変換する。
【００２３】
着側ゲートウェイ２２により出力されたＰＣＭトラフィックは、トランク２０を介してＥＯ１４にルーティングされ、第２の通信装置８に代わって着呼ユニットを表す終端ＥＯとして機能する。ＥＯ１４において、ＰＣＭトラフィックは、第２の通信装置８がディジタル装置の場合に、ディジタル形式で第２の通信装置８にルーティングされるか、あるいは、電話等のアナログ装置の場合には、アナログ形式に変換されてもよい。あるいは、第２の通信装置８が無線通信装置の場合、ＭＳＣ（図示せず）は、ＥＯ１４の代用とされる。
【００２４】
ＭＳＣ２４内部のコンポーネントとしては、Ｅｘｅｃｕｔｉｖｅ  Ｃｅｌｌｕｌａｒ  Ｐｒｏｃｅｓｓｏｒ（商標）（ＥＣＰ）４０およびＤＣＳ４２がある。ＤＣＳ４２は、ルーセントテクノロジー社から５ＥＳＳ−２０００（商標）ディジタルスイッチ（５ＥＳＳ）等の代表的な製品により実施可能である。ＥＣＰ４０は、呼処理、移動性管理および無線アクセスを確実に行い、さらに特徴制御（たとえば、呼転送、呼待機および多重方式呼）を行うこともできる。既存のＰＳＴＮネットワーク（図示せず）がデータ指向ネットワーク１０と共存する場合、ＥＣＰ４０は（単独でまたはインテリジェントネットワーク資源と組み合わせて）、加入者またはシステム供給データ、あるいは現在のネットワーク容量に応じて呼ルーティングにどのネットワークを使用すべきかを決定できる。スイッチ４２は、有線、無線、音声、データおよびビデオサービスの組み合わせを同時に配信することが可能である。図１において、スイッチ４２は、分配器として作用し、これにより音声関連のサービスおよび音声トラフィックを無線音声ネットワーク６からデータ指向ネットワーク１０に移動させることができる。
【００２５】
データネットワークフィーチャサーバ３４は、ゲートキーパ（たとえば、Ｈ．３２３またはＳＩＰ）と、データネットワークリソースサーバとを含む。データネットワークフィーチャサーバ３４は、トール（ｔｏｌｌ）／タンデム（ｔａｎｄｅｍ）特徴（たとえば、ネットワークルーティングサポート）をもたらす。データネットワークフィーチャサーバ３４におけるゲートキーパは、データ指向ネットワーク終点に呼制御サービスを提供する。これらのサービスとして、アドレス解釈、許可制御、帯域幅制御、ゾーン管理がある。また、ゲートキーパのサービスに、呼制御信号方式、呼認証、帯域幅管理、呼管理をさらに含むこともできる。
【００２６】
第１の無線通信装置４において発呼されると、ダイヤルされた番号は従来の電話番号（たとえば、Ｅ．１６４プロトコルに準拠する）である。Ｅ．１６４番号は、ＭＳＣ２４によりインテリジェントネットワーク資源（図示せず）に送信され、たとえば、呼をルーティングするためのルーティング情報を発側ゲートウェイ２８に返送する。呼をデータ指向ネットワーク１０のどこにルーティングするかを決定するために、発側ゲートウェイ２８は、Ｅ．１６４番号をデータネットワークフィーチャサーバ３４に転送する。そして、データネットワークフィーチャサーバ３４のゲートキーパデータベース内にあるＥ．１６４ゲートウェイマッピングテーブルにおいて、番号検索が実行される。呼をたとえば着側ゲートウェイ２２にルーティングするためのルーティング情報は、発側ゲートウェイ２８に返送される。
【００２７】
次に図２において、ローカルフィーチャサーバ機能をワイヤレスＶｏＩＰ（またはＶｏＡＴＭ）アプリケーションに設けるとともに既存の無線ネットワークとのバックワード互換性を確保する本発明の第１の詳細な実施形態が図示される。ＥＣＰ４０は、移動性、無線アクセスおよび特徴制御機能を有し、ＤＣＳ４２は、従来のトラフィック処理ユニット（ＴＰＵ）を含む。その他の中で、ＥＣＰ４０は、制御メッセージをローカルパケットベースのリソースサーバ４４に伝達し、信号方式メッセージをワイヤレス／データ信号方式ゲートウェイ４６とやり取りする。ワイヤレス／データ信号方式ゲートウェイ４６は、ＥＣＰ４０のワイヤレスネットワーク特徴コマンド（通常、ＥＣＰ４０によりＤＣＳ４２にＥＣＰ−ＤＣＳメッセージとして送信される）を解釈し、ＩＰスイッチ４８にパケットドメインにおいて切換機能を実行するよう指令する。信号方式情報は、ＥＣＰ４０、ワイヤレス／データ信号方式ゲートウェイ４６、そしてデータ指向ネットワーク１０における信号方式資源の間でさらに供給可能である。ワイヤレス／データ信号方式ゲートウェイ４６は、ＥＣＰ４０のワイヤレスネットワークルーティングおよび信号方式情報とデータ指向ネットワーク１０において使用される信号方式（たとえば、Ｈ．３２３またはＳＩＰ）の間に相互作用する。また、ワイヤレス／データ信号方式ゲートウェイ４６は、データ指向ネットワーク１０におけるネットワークゲートキーパ３４と通信するためにローカルゲートキーパ機能を支援する。図２の構成は、ワイヤレス／データ信号方式ゲートウェイ４６がワイヤレスおよびデータ信号方式（たとえば、Ｈ．３２３またはＳＩＰ）形式の間で相互作用する直接信号方式を使用するとともに、追加のボコード処理がないワイヤレス音声パケットを直接転送する点で有線ＰＳＴＮ／Ｈ．３２３ゲートウェイと異なる。
【００２８】
図１について上述したように、第１の無線通信装置４により生成されるディジタルワイヤレスフレームは、ＢＳ３０に送信され、ＭＳＣ２４、発側ゲートウェイ２８、データ指向ネットワーク１０、着側ゲートウェイ２２、ＥＯ１４、そして第２の通信装置８に連続してルーティングされる。ディジタルワイヤレストラフィックはＰＣＭでなく符号化された音声であるため、ローカルパケットベースのリソースサーバ４４は、着側ゲートウェイ２２とともにトーンおよび通知を必要とする機能を支援するように改善される。第１の無線通信装置４から送信されるＤＴＭＦトーンの場合、信号方式メッセージが（第１の無線通信装置４がＧＳＭ系で動作している場合には第１の無線通信装置４により、または第１の無線通信装置４が非ＧＳＭ系で動作している場合にはＢＳ３０により）生成される。図２に示すアーキテクチャにおいて、これらの信号は、ＥＣＰ４０およびワイヤレス／データ信号方式ゲートウェイ４６を介してＩＰスイッチ４８に送信される。ＩＰスイッチ４８は、データ指向ネットワーク１０を介して信号方式トラフィックを着側ゲートウェイ２２にルーティングする。着側ゲートウェイ２２において、フルレートのＤＴＭＦトーンがそのユニットのボコーダにより生成され、第２の通信装置８に送信される。その間に第１の無線通信装置４がトーン生成を開始する例示の呼については以下の実施形態１において後述する。
【００２９】
トーンが、呼待機、ボイスメール通知、サービス領域の制限等の特徴を実施するために第１の無線通信装置４に送信される必要がある場合、ローカルパケットベースのリソースサーバ４４は、トーンおよびリズム（ｃａｄｅｎｃｅ）のワイヤレス符号化されたものをそのデータベースに格納し、これらをディジタルワイヤレスフレームトラフィック列に配置して、ＥＣＰ４０によりそのような指令があると第１の無線通信装置４に送信される。第１の無線通信装置４は、次に、そのボコーダにおいて適当な可聴トーンを生成する。その間にトーンパターンが第１の無線通信装置４に送信された例示の呼については、以下の実施形態２において後述する。
【００３０】
モバイルユーザに送信される通知も同様に管理される。ローカルパケットベースのリソースサーバ４４は、該通知のワイヤレス符号化されたものをそのデータベースに格納し、ＥＣＰ４０からの指令があるとこれらを第１の無線通信装置４に送信する。通知のワイヤレス符号化されたものが第１の無線通信装置４において受信されると、通常のボコードが実行され、該装置が可聴通知を作成する。
【００３１】
次に図３において、フィーチャサーバ機能をワイヤレスＶｏＩＰ（またはＶｏＡＴＭ）ユーザにＥＣＰベースの特徴制御を使用することなく提供する本発明の第２の実施形態が図示される。代わりに、ローカルデータネットワークフィーチャサーバ６０は、ローカルデータネットワークリソースサーバ６２およびＩＰスイッチ４８と関連する特徴制御を提供する。ワイヤレスメッセージ形式を使用するＥＣＰ４０と、Ｈ．３２３またはＳＩＰ等のデータ指向ネットワークメッセージ形式を使用するＩＰスイッチ４８との間に流れるメッセージトラフィックの解釈を行うために、ＭＳＣ２４内に配置されたワイヤレス／データ信号方式トランスレータ６４が設けられる。図２について上述した構成のように、第１の無線通信装置４により生成されるディジタルワイヤレスフレームは、ＢＳ３０、ＭＳＣ２４、発側ゲートウェイ２８、データ指向ネットワーク１０、着側ゲートウェイ２２、ＥＯ１４、そして最後に第２の通信装置８に連続して送信される。
【００３２】
図２について上述したように、ＤＴＭＦトーンが第１の無線通信装置４から送信される場合、信号方式メッセージを用いることで、低ビットレートで送信されたトーンに内在する不精確性を回避できる。上記のように、これらの信号方式メッセージは、（ＧＳＭ系で動作している場合）第１の無線通信装置４により生成され、または（非ＧＳＭ系で動作している場合）ＢＳ３０により生成される。図３に示すアーキテクチャにおいて、これらの信号は、ＥＣＰ４０およびワイヤレス／データ信号方式トランスレータ６４を介してＩＰスイッチ４８に送信される。ＩＰスイッチ４８から、信号方式トラフィックはデータ指向ネットワーク１０を介して着側ゲートウェイ２２にルーティングされ、フルレートのＤＴＭＦトーンがそのボコーダにより生成され、第２の通信装置８に送信される。かかる発呼経路については以下の実施形態１において後述する。
【００３３】
ローカルデータネットワークリソースサーバ６２は、ローカルデータネットワークフィーチャサーバ６０と協働して、図２について上述したようにトーンおよび通知を第１の無線通信装置４に提供する。したがって、第１の無線通信装置４に送信されたトーンおよび通知を管理するためには、ローカルデータネットワークリソースサーバ６２は、トーンおよび通知のワイヤレス符号化されたものをデータベースに格納する。トーンまたは通知が必要とされる場合、ローカルデータネットワークリソースサーバ６２は、そのデータベースからこれらの格納されているトーンまたは通知のワイヤレス符号化されたものの１つを検索し、これをディジタルワイヤレスフレームトラフィック列に配置して第１の無線通信装置４に送信する。第１の無線通信装置４は、次に対応する可聴トーンまたは通知を該装置のボコーダにおいて作成する。以下の実施形態２は、トーンパターンを第１の無線通信装置４に送信する発呼の経路を示す。
【００３４】
以下は、本発明のトーンおよび通知作成機能をさらに説明する実施形態である。
【００３５】
実施形態１
第１の無線通信装置４のユーザが、コールセンタにある第２の通信装置８に発呼したとする。コールセンタと接続すると、発呼者には自動メニューシステムが提示され、その選択では、イベントを開始する（たとえば、情報メッセージの再生、呼をボイスメールシステムにルーティングする、別のレベルのメニューオプションを提示する等）よう要求するためのＤＴＭＦトーンが必要とされる。必要とされるＤＴＭＦトーンは、第１の無線通信装置４のキーパッドのキーに対応する。メニューシステムからオプションを選択するために、ユーザは、まず第１の無線通信装置４の適当なキーを押下し、トーンを生成する。ＧＳＭ系で動作している場合、第１の無線通信装置４はトーンを認識し、トーンを識別する信号方式メッセージを生成する。そして、この信号方式メッセージは、無線インタフェースを介してＢＳ３０に送信される。第１の無線通信装置４が非ＧＳＭ系で動作している場合、第１の無線通信装置４において生成されたトーンは音声トラフィックとして無線インタフェースを介してＢＳ３０に送信される。ここで、トーンは認識され、トーンを識別する信号方式メッセージが生成される。ＧＳＭおよび非ＧＳＭ構成の両方において、信号方式メッセージは、ＢＳ３０からＥＣＰ４０に送信される。図２に示す構成において、ＥＣＰ４０は、信号方式メッセージをワイヤレス／データ信号方式ゲートウェイ４６に送信し、この信号をワイヤレスネットワーク形式からデータ指向ネットワークに互換性のある形式に解釈する。次に、ワイヤレス／データ信号方式ゲートウェイ４６は、この信号を、ＩＰスイッチ４８を介してデータ指向ネットワーク１０に配置する。図３に示す構成において、ＥＣＰ４０は、信号方式メッセージをＩＰスイッチ４８にワイヤレス／データ信号方式トランスレータ６４（信号をワイヤレスメッセージ形式からデータ指向ネットワーク形式に解釈する）を介して送信する。そしてＩＰスイッチ４８は、解釈された信号を信号方式パケットとしてデータ指向ネットワーク１０に送る。両方のアーキテクチャ（図２および図３に示す）において、データ指向ネットワーク１０は、信号方式メッセージを着側ゲートウェイに送り、ボコード動作により該信号に対応するフルレートのＤＴＭＦトーンが生成される。着側ゲートウェイからは、ＤＴＭＦトーンがＥＯ１４に送信される。そしてＥＯ１４は、ＤＴＭＦトーンを第２の通信装置８に送信し、トーンが認識されて関連するメニューに固有のイベントが開始される。
【００３６】
実施形態２
第１の無線通信装置４は、呼待機特徴がアクティブにされ、呼において第２の通信装置８以外の装置につながれるとする。第２の通信装置８のユーザは、呼を第１の無線通信装置４にデータ指向ネットワーク１０を通して発信する。ＩＰスイッチ４８に対する呼設定の間、該スイッチは、呼をどのように処理するかについて、着呼特徴要求のクエリを行う。図２に示すアーキテクチャにおいて、このクエリは、ワイヤレス／データ信号方式ゲートウェイ４６に送信される信号方式メッセージであり、解釈を行った後、この信号方式メッセージをＥＣＰ４０に転送して特徴制御処理を行う。この構成において、ＥＣＰ４０は、第１の無線通信装置４が呼待機をアクティブにされ、信号を送信し、トーンパターンパケットをディジタルワイヤレスフレームトラフィック列に挿入するようローカルパケットベースのリソースサーバ４４に指令する。ローカルパケットベースのリソースサーバ４４は、トーンパターンの正しくワイヤレス符号化されたものをそのデータベースから検索し、これをＤＣＳ４２に転送してトラフィック列に挿入する。図３に示す構成の場合、ゲートウェイ２８は、ＩＰスイッチ４８と対話を行うローカルデータネットワークフィーチャサーバ６０と、ローカルデータネットワークリソースサーバ６２とを（ワイヤレス／データ信号方式ゲートウェイに代わって）含む。図３の構成によるＩＰスイッチ４８が呼特徴サポートを要求する信号を生成すると、メッセージがローカルデータネットワークフィーチャサーバ６０に送信され、処理される。そして、ローカルデータネットワークフィーチャサーバ６０は、ＩＰスイッチ４８を通してコマンドを送信し、ローカルデータネットワークリソースサーバ６２にトーンパターンをトラフィック列に挿入させる。ローカルデータネットワークリソースサーバ６２は、呼待機トーンパターンの正しく符号化されたものをそのデータベースから検索し、これをＩＰスイッチ４８のトラフィック列に挿入する。ＩＰスイッチ４８から、符号化されたトーンパターンによるトラフィックはＤＣＳ４２に送信される。図２および図３の両方のアーキテクチャによれば、符号化されたトーンパターンはＤＣＳ４２からＢＳ３０に送信される。ＢＳ３０は、符号化されたトーンパターンを空気インタフェースを介して第１の無線通信装置４に送信し、ここでボコード動作により可聴呼待機トーンパターンが生成される。
【００３７】
次に図４において、データ指向ネットワークワイヤレスフレーム送信を会議開催中に使用することなくワイヤレスＶｏＩＰ（またはＶｏＡＴＭ）ユーザに会議ブリッジを実施する本発明の第３の実施形態が図示される。図１について上述したプロセスと同様に、多重方式会議における最初の呼は、第１の無線通信装置４において発呼され、ボコーダバイパスとともにディジタルワイヤレスフレームを使用することで確立される。二者の呼は、第１の無線通信装置４からＢＳ３０、ＭＳＣ２４、発側ゲートウェイ２８（図２のワイヤレス／データ信号方式ゲートウェイ４６およびＩＰスイッチ４８を含む）、データ指向ネットワーク１０（ネットワークルーティングは、データネットワークリソースサーバ３４によりサポートされる）、そして着側ゲートウェイ２２にルーティングされる。第２の通信装置８において着呼される。多重方式会議呼における発呼経路は、ＤＣＳ／リソースサーバ７２の中にある会議回路７０を用いる。会議呼を実施するために、第１の無線通信装置４のユーザは、ボコーダバイパスによりＶｏＩＰを介して第１の参加者に第１の呼を行う。第１の参加者は、ゲートウェイ２２を介してデータ指向ネットワーク１０にリンクされる第２の通信装置８を使用する。第１の参加者は、第１の無線通信装置４のユーザが、第３の通信装置７４を使用している第２の参加者に第２の呼を行うと、保留状態になる。第３の通信装置７４は、データ指向ネットワーク１０にゲートウェイ７６を介してリンクされる。第１の呼と異なり、第２の参加者に対する接続は、ＤＣＳ４２におけるＰＣＭボコード処理およびＭＳＣ２４内の会議回路７０における、Ｈ．３２３およびＧ．７１１（ＩＰを通して６４ｋｂｐｓ符号化を行う）規格を用いたＰＣＭ会議ブリッジを介して確立される。第１の呼が依然として保留中であると、第１の参加者に対する接続は、Ｈ．３２３処理を使用してＧ．７１１音声コーディングに再折衝される。第２の参加者が追加されており、かつ第１の呼接続が再折衝されている場合、会議回路７０は、Ｇ．７１１を介してこの３者とブリッジする。会議ブリッジの後、ワイヤレス−ＰＣＭボコード処理がＤＣＳ４２において行われ、両方向でのトラフィックができるように第１の参加者の通信装置８と会議回路７０の間に発呼経路を取る。
【００３８】
次に図５において、データ指向ネットワークワイヤレスフレーム送信を会議開催中に続行させた状態でワイヤレスＶｏＩＰ（またはＶｏＡＴＭ）ユーザに会議ブリッジを実施する本発明の第４の実施形態が図示される。図５に示すアーキテクチャおよび会議ブリッジプロセスは、会議ブリッジ後に、第２の通信装置８と会議回路７０の間の発呼経路のＰＣＭ−ワイヤレスボコード処理およびワイヤレス−ＰＣＭボコード処理をボコーダ７８（ゲートウェイ２２またはＭＳＣ２４のいずれか一方にある）において行うことを除いて、図４に示すシステムに一致する。したがって、会議回路７０から第２の通信装置８に向けて出発したトラフィックは、ＰＣＭからワイヤレス形式に変換される。逆に、会議回路７０に向けて第２の通信装置８から出たトラフィックは、ワイヤレスからＰＣＭ形式に変換される。
【００３９】
次に図６において、ワイヤレスＶｏＩＰ（またはＶｏＡＴＭ）ユーザに会議ブリッジを実施する本発明の第５の実施形態が図示される。図６に示すコンポーネントおよび会議ブリッジプロセスは、会議回路７０が、ディジタルワイヤレスフレームのボコード処理を内部で行うことを除いて、図４に示すシステムに一致する。さらに、会議回路７０は、図４に示すようにＤＣＳ／リソースサーバ７２ではなく、マルチメディアリソースサーバ（ＭＭＲＳ）８０にある。あるいは、ＭＭＲＳ８０にある会議回路８０は、図５に示す対をなすボコーダを内在化してもよい。
【００４０】
このように、ワイヤレス固有の領域において動作する通信システムにおいて多数参加者会議開催およびトーン／通知作成機能性を実行する方法およびシステムを説明してきた。各種の実施形態を開示してきたが、多数の変形および代替の実施形態を本発明にしたがって実施することが可能であることは明らかであろう。したがって、本発明は、特許請求の範囲およびその等価物の精神によることを除いていずれにおいても制限されないことが理解される。
【図面の簡単な説明】
【図１】ＰＳＴＮにおいてワイヤレス加入者からワイヤレスまたは有線加入者に、相互接続されたデータ指向ネットワークを介して電話呼をルーティングするとともに、ＭＳＣ／ＢＳおよび発側ゲートウェイにおいてボコード処理をバイパスする第１の例示の遠隔通信システムの関連部分を示すブロック図である。
【図２】ローカルパケットベースのリソースサーバおよびＥＣＰを特徴制御と併用することによって、トーンおよび通知作成および送出機能を提供する本発明の方法およびシステムを具体化する第２の例示の遠隔通信システムを示すブロック図である。
【図３】ローカルデータネットワークフィーチャサーバおよびローカルデータネットワークリソースサーバを使用することによって、トーンおよび通知作成および送出機能を提供する本発明の方法およびシステムを具体化する第３の例示の遠隔通信システムを示すブロック図である。
【図４】ディジタルセルラスイッチにおいて実行されるボコード処理を使用することによって、会議ブリッジを提供する本発明の方法およびシステムを具体化する第４の例示の遠隔通信システムを示すブロック図である。
【図５】ディジタルセルラスイッチおよびゲートウェイにおいて実行されるボコード処理を使用することによって、会議ブリッジを提供する本発明の方法およびシステムを具体化する第５の例示の遠隔通信システムを示すブロック図である。
【図６】会議回路内で実行されるボコード処理を使用することによって、会議ブリッジを提供する本発明の方法およびシステムを具体化する第６の例示の遠隔通信システムを示すブロック図である。
【図１】
0003630236.tif 000002
【図２】
0003630236.tif 000003
【図３】
0003630236.tif 000004
【図４】
0003630236.tif 000005
【図５】
0003630236.tif 000006
【図６】
0003630236.tif 000007